(57)【要約】      （修正有）【課題】容易に精度よく自覚式検査を行うことができる自覚式検眼装置を提供する。【解決手段】左右の被検眼の内の一方の被検眼を照明する第１光源と、左右の被検眼の内の他方の被検眼を照明する第２光源と、第１確認窓と第１角膜位置照準光学系とを有し、一方の被検眼の角膜頂点とレンズ装用基準位置との頂点間距離を確認するための第１角膜位置照準ユニットと、第２確認窓と第２角膜位置照準光学系とを有し、他方の被検眼の角膜頂点とレンズ装用基準位置との頂点間距離を確認するための第２角膜位置照準ユニットと、第２光源からの光が第１角膜位置照準光学系を介して第１確認窓から照射されることを抑制するとともに、第１光源からの光が第２角膜位置照準光学系を介して第２確認窓から照射されることを抑制する抑制ユニットと、を備える。【選択図】図１
2018121914.tif 000002
【特許請求の範囲】
【請求項１】
被検眼の光学特性を自覚的に測定する自覚式検眼装置であって、
左右の被検眼の内の一方の被検眼を照明する第１光源と、
前記左右の被検眼の内の他方の被検眼を照明する第２光源と、
第１確認窓と、前記第１光源から照射されて前記一方の被検眼によって反射された反射光を前記第１確認窓へ導光する第１角膜位置照準光学系と、を有し、前記第１光源によって照明された前記一方の被検眼の角膜頂点とレンズ装用基準位置との頂点間距離を確認するための第１角膜位置照準ユニットと、
第２確認窓と、前記第２光源から照射されて前記他方の被検眼によって反射された反射光を前記第２確認窓へ導光する第２角膜位置照準光学系と、を有し、前記第２光源によって照明された前記他方の被検眼の角膜頂点とレンズ装用基準位置との頂点間距離を確認するための第２角膜位置照準ユニットと、
前記第２光源からの光が前記第１角膜位置照準光学系を介して前記第１確認窓から照射されることを抑制するとともに、前記第１光源からの光が前記第２角膜位置照準光学系を介して前記第２確認窓から照射されることを抑制する抑制ユニットと、
を備えることを特徴とする自覚式検眼装置。
【請求項２】
請求項１の自覚式検眼装置において、
前記抑制ユニットは、前記第１角膜位置照準ユニットに配置される前記第１光学部材と、前記第２角膜位置照準ユニットに配置される前記第２光学部材と、を備え、
前記第１光学部材は、前記第１光源による光を透過し、前記第２光源による光の透過を抑制し、
前記第２光学部材は、前記第２光源による光を透過し、前記第１光源による光の透過を抑制することを特徴とする自覚式検眼装置。
【請求項３】
請求項２の自覚式検眼装置において、
前記第１光学部材は、第１偏光部材であって、
前記第２光学部材は、第２偏光部材であって、
前記第１偏光部材は、前記第１光源の光が第２角膜位置照準ユニットに向けて照射される光路中に配置されているとともに、前記第１角膜位置照準ユニットの光路中に配置されており、
前記第２偏光部材は、前記第２光源の光が第１角膜位置照準ユニットに向けて照射される光路中に配置されているとともに、前記第２角膜位置照準ユニットの光路中に配置されていることを特徴とする自覚式検眼装置。
【請求項４】
請求項３の自覚式検眼装置において、
前記第１角膜位置照準ユニットは、前記第１光源から照射され、前記一方の被検眼によって反射された反射光を前記第１角膜位置照準光学系へ導光する第１観察窓を備え、
前記第２角膜位置照準ユニットは、前記第２光源から照射され、前記他方の被検眼によって反射された反射光を前記第２角膜位置照準光学系へ導光する第２観察窓を備え、
前記第１偏光部材は、前記第１光源の近傍に配置されるとともに、前記第１観察窓の近傍に配置され、
前記第２偏光部材は、前記第２光源の近傍に配置されるとともに、前記第２観察窓の近傍に配置されることを特徴とする自覚式検眼装置。
【請求項５】
請求項３又は４の自覚式検眼装置において、
前記第１偏光部材の偏光軸と、前記第２偏光部材の偏光軸と、が直交するように、前記第１偏光部材と、前記第２偏光部材と、が配置されていることを特徴する自覚式検眼装置。
【請求項６】
請求項１の自覚式検眼装置において、
被検者の顔の位置を固定する額当てと、
前記被検者の顔が前記額当てに当接しているか否かを検出する検出ユニットと、
を備え、  
前記抑制ユニットは、前記検出ユニットの検出結果に基づいて、前記被検者の顔が前記額当てに当接していない間は、前記第１光源及び前記第２光源を消灯させ、前記被検者の顔が前記額当てに当接している間は、前記第１光源及び前記第２光源を点灯させる制御を行うことを特徴とする自覚式検眼装置。
【請求項７】
請求項１の自覚式検眼装置において、
前記抑制ユニットは、前記第１光源及び前記第２光源の点灯及び消灯を選択するための操作ユニットを備え、前記操作ユニットからの操作信号に基づいて、前記第１光源の点灯又は消灯と、前記第２光源の点灯又は消灯と、をそれぞれ個別に制御することを特徴とする自覚式検眼装置。
【発明の詳細な説明】
【技術分野】
【０００１】
本開示は、被検眼の光学特性を自覚的に測定するための自覚式検眼装置に関する。
【背景技術】
【０００２】
被検者眼の前に配置される眼屈折力測定ユニットを用いて、眼屈折力測定ユニットの検査窓に球面レンズや柱面（乱視）レンズ等の光学素子を配置し、配置された光学素子を通して被検眼に視標を呈示することによって、被検眼の屈折力等を検査（測定）する自覚式検眼装置が知られている（特許文献１参照）。
【０００３】
ところで、自覚式検眼装置において、眼屈折力測定ユニットを用いる場合には、被検者が検査窓を通して視標を確認するため、眼屈折力測定ユニットと被検眼との位置合わせが行われる。従来、例えば、眼屈折力測定ユニットと被検眼との位置合わせとしては、レンズ装用時の基準位置と、被検眼Ｅにおける角膜頂点と、の位置合わせ（角膜頂点間距離ＶＤ（Vertex Distance）の調整）が行われている。
【先行技術文献】
【特許文献】
【０００４】
【特許文献１】特開平５−１７６８９３号公報
【発明の概要】
【発明が解決しようとする課題】
【０００５】
従来、検者は、眼屈折力測定ユニットに設けられた確認窓を用いて、左右それぞれの被検眼の側面を観察することにより、角膜頂点間距離ＶＤの調整を行っている。被検眼は、その角膜頂点位置が見やすくなるように、光源によって側方から照明されている。このとき、被検者が動いてしまうと、検者が観察している被検眼とは反対側の被検眼を照明する光源からの光が、検者が覗いている確認窓へと入射する。このため、検者は角膜頂点間距離ＶＤの調整中に眩しさを感じてしまい、正確な位置合わせを行うことが難しかった。また、眩しさを感じることが検者にとって負担となっていた。
【０００６】
本開示は、上記従来技術に鑑み、容易に精度よく自覚式検査を行うことができる自覚式検眼装置を提供することを技術課題とする。
【課題を解決するための手段】
【０００７】
上記課題を解決するため、本開示は以下の構成を備えることを特徴とする。
（１）  本開示の第１態様に係る自覚式検眼装置は、被検眼の光学特性を自覚的に測定する自覚式検眼装置であって、左右の被検眼の内の一方の被検眼を照明する第１光源と、前記左右の被検眼の内の他方の被検眼を照明する第２光源と、第１確認窓と、前記第１光源から照射されて前記一方の被検眼によって反射された反射光を前記第１確認窓へ導光する第１角膜位置照準光学系と、を有し、前記第１光源によって照明された前記一方の被検眼の角膜頂点とレンズ装用基準位置との頂点間距離を確認するための第１角膜位置照準ユニットと、第２確認窓と、前記第２光源から照射されて前記他方の被検眼によって反射された反射光を前記第２確認窓へ導光する第２角膜位置照準光学系と、を有し、前記第２光源によって照明された前記一方の被検眼の角膜頂点とレンズ装用基準位置との頂点間距離を確認するための第２角膜位置照準ユニットと、前記第２光源からの光が前記第１角膜位置照準光学系を介して前記第１確認窓から照射されることを抑制するとともに、前記第１光源からの光が前記第２角膜位置照準光学系を介して前記第２確認窓から照射されることを抑制する抑制ユニットと、を備えることを特徴とする。
【図面の簡単な説明】
【０００８】
【図１】本実施例に係る自覚式検眼装置の外観図である。
【図２】本実施例に係る眼屈折力測定ユニットを前面から示す外観略図である。
【図３】本実施例に係る眼屈折力測定ユニットを後面から示す外観略図である。
【図４】角膜位置照準ユニットを示す図である。
【図５】照準目盛板とレチクル板の構成図である。
【図６】第１偏光部材及び第２偏光部材の配置を説明する図である。
【図７】第１偏光部材及び第２偏光部材がもつ偏光軸を説明する図である。
【図８】自覚式検眼装置における制御系の概略構成図である。
【図９】角膜頂点位置を確認する際の照準目盛板とレチクル板を示す図である。
【図１０】光源の配置位置の変容例を示す図である。
【図１１】検出ユニットの構成を説明する概略図である。
【図１２】操作ユニットを説明するための図である。
【図１３】導光部を備える角膜位置照準ユニットを説明するための図である。
【発明を実施するための形態】
【０００９】
＜概要＞
以下、典型的な実施形態の１つについて、図面を参照して説明する。図１〜図１３は本実施形態に係る自覚式検眼装置を説明する図である。なお、以下の＜＞にて分類された項目は、独立又は関連して利用されうる。なお、以下の説明においては、自覚式検眼装置の奥行き方向（被検者の測定の際の被検者の前後方向）をＺ方向、奥行き方向に垂直（被検者の測定の際の被検者の左右方向）な平面上の水平方向をＸ方向、鉛直方向（被検者の測定の際の被検者の上下方向）をＹ方向として説明する。なお、符号に付されるＬ及びＲは、それぞれ左眼用及び右眼用を示すものとする。
【００１０】
例えば、本実施形態における自覚式検眼装置（例えば、自覚式検眼装置１）は、第１光源（例えば、第１光源４０ａ）と、第２光源（例えば、第２光源４０ｂ）と、第１角膜位置照準ユニット（例えば、第１角膜位置照準ユニット１０ａ）と、第２角膜位置照準ユニット（例えば、第２角膜位置照準ユニット１０ｂ）と、抑制ユニット（例えば、抑制ユニット３０）と、を備える。例えば、自覚式検眼装置は、被検眼の光学特性を自覚的に測定する。なお、第１角膜位置照準ユニットと、第２角膜位置照準ユニットは、同一の部材を備える構成であってもよいし、少なくとも一部が異なる構成であってもよい。
【００１１】
例えば、第１光源は、左右の被検眼の内の一方の被検眼を照明する。例えば、第２光源は、左右の被検眼の内の他方の被検眼を照明する。例えば、第１光源としては、種々の光源の用いることができる。例えば、第１光源としては、ＬＥＤ（Light emitting diode）、ハロゲンランプ、蛍光灯等の少なくともいずれかを用いてもよい。例えば、第２光源としては、種々の光源の用いることができる。例えば、第２光源としては、ＬＥＤ、ハロゲンランプ、蛍光灯等の少なくともいずれかを用いてもよい。なお、第１光源、第２光源は、光を発光する光源部分と共に、光源部分と一体的又は別途に配置されるレンズ系を備える構成であってもよい。もちろん、第１光源、第２光源は、レンズ系を備えない構成であってもよい。
【００１２】
例えば、第１角膜位置照準ユニットは、第１光源によって照明された一方の被検眼の角膜頂点とレンズ装用基準位置との頂点間距離を確認するために用いられる。例えば、第１角膜位置照準ユニットは、第１確認窓（例えば、第１確認窓１１ａ）と、第１角膜位置照準光学系（例えば、第１角膜位置照準光学系２０ａ）と、を有していてもよい。
【００１３】
例えば、第１確認窓は、透明パネルで形成されていてもよい。例えば、第１確認窓の材料は、アクリル樹脂、ガラス板等、透明な部材を用いてもよい。もちろん、例えば、第１確認窓は、第１確認窓を介して第１角膜位置照準光学系を確認できる部材であればよい。例えば、略透明な部材であってもよい。例えば、第１確認窓は、眼屈折力測定ユニット（例えば、眼屈折力測定ユニット５０）の外部又は内部に配置されてもよい。
【００１４】
なお、眼屈折力測定ユニットは、被検眼の眼前に配置される光学素子を切り換えて配置する検眼ユニット（フォロプタ）であってもよい。例えば、眼屈折力測定ユニットは、複数の光学素子が同一円周上に配置されたレンズディスクと、レンズディスクを回転させるための駆動手段と、を有し、駆動手段（例えば、モータ）の駆動により光学素子を電気的に切り換える構成であってもよい。
【００１５】
例えば、第１角膜位置照準光学系は、第１光源から照射されて一方の被検眼によって反射された反射光を第１確認窓へ導光する。例えば、第１角膜位置照準光学系は、少なくとも１つ以上の部材を備える。例えば、第１角膜位置照準光学系は、第１角膜位置照準光学系の少なくとも一部の部材が、眼屈折力測定ユニットの外部又は内部に配置されてもよい。
【００１６】
なお、例えば、第１角膜位置照準ユニットは、第１光源から照射され、一方の被検眼によって反射された反射光を第１角膜位置照準光学系へ導光する第１観察窓（例えば、第１観察窓１２ａ）を備えていてもよい。例えば、第１観察窓は、被検眼によって反射された反射光を第１角膜位置照準光学系へ導光するために用いられてもよい。
【００１７】
例えば、第２角膜位置照準ユニットは、第２光源によって照明された他方の被検眼の角膜頂点とレンズ装用基準位置との頂点間距離を確認するために用いられる。例えば、第２角膜位置照準ユニットは、第２確認窓（例えば、第２確認窓１１ｂ）と、第２角膜位置照準光学系（例えば、第２角膜位置照準光学系２０ｂ）と、を有していてもよい。
【００１８】
例えば、第２確認窓は、透明パネルで形成されていてもよい。例えば、第２確認窓の材料は、アクリル樹脂、ガラス板等、透明な部材を用いてもよい。もちろん、例えば、第１確認窓は、第２確認窓を介して第２角膜位置照準光学系を確認できる部材であればよい。例えば、略透明な部材であってもよい。例えば、第２確認窓は、眼屈折力測定ユニットの外部又は内部に配置されてもよい。
【００１９】
例えば、第２角膜位置照準光学系は、第２光源から照射されて他方の被検眼によって反射された反射光を第２確認窓へ導光する。例えば、第２角膜位置照準光学系は、少なくとも１つ以上の部材を備える。例えば、第２角膜位置照準光学系は、第２角膜位置照準光学系の少なくとも一部の部材が、眼屈折力測定ユニットの外部又は内部に配置されてもよい。
【００２０】
なお、第２角膜位置照準ユニットは、第２光源から照射され、他方の被検眼によって反射された反射光を第２角膜位置照準光学系へ導光する第２観察窓（例えば、第２観察窓１２ｂ）を備えていてもよい。例えば、第２観察窓は、被検眼によって反射された反射光を第２角膜位置照準光学系へ導光するために用いられてもよい。
【００２１】
例えば、抑制ユニットは、第２光源からの光が第１角膜位置照準光学系を介して第１確認窓から照射されることを抑制するとともに、第１光源からの光が第２角膜位置照準光学系を介して第２確認窓から照射されることを抑制する。
【００２２】
例えば、本実施形態における自覚式検眼装置は、左右の被検眼の内の一方の被検眼を照明する第１光源と、前記左右の被検眼の内の他方の被検眼を照明する第２光源と、を備える。また、例えば、本実施形態における自覚式検眼装置は、第２光源からの光が第１角膜位置照準光学系を介して第１確認窓から照射されることを抑制するとともに、第１光源からの光が第２角膜位置照準光学系を介して第２確認窓から照射されることを抑制する抑制ユニットを備える。このため、第１光源及び第２光源から照射される光束は、角膜位置照準光学系を介して検者眼へと入射する際に、抑制ユニットによって抑制される。つまり、第１光源及び第２光源から照射される光束は、抑制ユニットを通過することによって減光した後に、被検眼へと入射する。従って、検者は、第１確認窓あるいは第２確認窓から被検眼を観察する際に眩しさを感じることを抑制でき、眼屈折力測定ユニットと被検眼との位置合わせを精度よく行うことができる。
【００２３】
例えば、抑制ユニットは、第１角膜位置照準ユニットに配置される第１光学部材と、第２角膜位置照準ユニットに配置される第２光学部材と、を備える構成としてもよい。この場合、例えば、第１光学部材は、第１光源による光を透過し、第２光源による光の透過を抑制してもよい。また、この場合、例えば、第２光学部材は、第２光源による光を透過し、第１光源による光の透過を抑制してもよい。
【００２４】
例えば、第１光学部材としては、第１偏光部材（例えば、第１偏光部材３０ａ）、特定の波長の光束を透過する第１透過部材、特定の波長の光束を遮蔽する第１遮蔽部材、等であってもよい。例えば、第１偏光部材は、直線偏光部材、円偏光部材の少なくともいずれかを含んでいてもよい。なお、例えば、第１偏光部材としては、直線偏光部材を用いる場合を例に挙げて説明する。なお、例えば、第１光学部材としては、少なくとも１つ以上の光学部材が用いられる構成であってもよい。
【００２５】
例えば、第１光学部材は、第１光源の光が第２角膜位置照準ユニットに向けて照射される光路中に配置されているとともに、第１角膜位置照準ユニットの光路中に配置されていてもよい。一例として、例えば、第１光学部材として第１偏光部材を用いる場合、第１偏光部材は、第１光源の光が第２角膜位置照準ユニットに向けて照射される光路中に配置されているとともに、第１角膜位置照準ユニットの光路中に配置されていてもよい。
【００２６】
例えば、上記の光路に配置される一例として、第１光学部材は、第１光源の近傍に配置されていてもよい。また、例えば、上記の光路に配置される一例として、第１光学部材は、第１角膜位置照準ユニットの光路中のいずれかの位置に配置されていてもよい。この場合、例えば、第１角膜位置照準ユニットの光路中に配置される構成としては、第１光学部材が第１観察窓の近傍に配置されていてもよい。また、この場合、例えば、第１角膜位置照準ユニットの光路中に配置される構成としては、第１光学部材が第１確認窓の近傍に配置されていてもよい。また、この場合、例えば、第１角膜位置照準ユニットの光路中に配置される構成としては、第１光学部材が第１角膜位置照準光学系の光路中のいずれかの位置に配置される構成であってもよい。
【００２７】
一例として、例えば、第１光学部材として第１偏光部材を用いる場合、第１偏光部材は、第１光源の近傍に配置されるとともに、第１観察窓の近傍に配置されるようにしてもよい。
【００２８】
例えば、第２光学部材としては、第２偏光部材（例えば、第２偏光部材３０ｂ）、特定の波長の光束を透過する第２透過部材、特定の波長の光束を遮蔽する第２遮蔽部材、等であってもよい。例えば、第２偏光部材は、直線偏光部材、円偏光部材の少なくともいずれかを含んでいてもよい。なお、例えば、第２偏光部材としては、直線偏光部材を用いる場合を例に挙げて説明する。なお、例えば、第２光学部材としては、少なくとも１つ以上の光学部材が用いられる構成であってもよい。
【００２９】
例えば、第２光学部材は、第２光源の光が第１角膜位置照準ユニットに向けて照射される光路中に配置されているとともに、第２角膜位置照準ユニットの光路中に配置されていてもよい。一例として、例えば、第２光学部材として第２偏光部材を用いる場合、第２偏光部材は、第２光源の光が第１角膜位置照準ユニットに向けて照射される光路中に配置されているとともに、第２角膜位置照準ユニットの光路中に配置されていてもよい。
【００３０】
例えば、上記の光路に配置される一例として、第２光学部材は、第２光源の近傍に配置されていてもよい。また、例えば、上記の光路に配置される一例として、第２光学部材は、第２角膜位置照準ユニットの光路中のいずれかの位置に配置されていてもよい。この場合、例えば、第２角膜位置照準ユニットの光路中に配置される構成としては、第２光学部材が第２観察窓の近傍に配置されていてもよい。また、この場合、例えば、第２角膜位置照準ユニットの光路中に配置される構成としては、第２光学部材が第２確認窓の近傍に配置されていてもよい。また、この場合、例えば、第２角膜位置照準ユニットの光路中に配置される構成としては、第２光学部材が第２角膜位置照準光学系の光路中のいずれかの位置に配置される構成であってもよい。
【００３１】
一例として、例えば、第２光学部材として第２偏光部材を用いる場合、第２偏光部材は、第２光源の近傍に配置されるとともに、第２観察窓の近傍に配置されるようにしてもよい。
【００３２】
なお、例えば、第１光学部材及び第２光学部材として偏光部材を用いる場合に、第１偏光部材の偏光軸（例えば、偏光軸Ｓａ）と、第２偏光部材の偏光軸（例えば、偏光軸Ｓｂ）と、が直交するように、第１偏光部材と、第２偏光部材と、が配置されていてもよい。すなわち、第１偏光部材が第１直線偏光部材を含むとともに、第２偏光部材が第２直線偏光部材を含み、第１直線偏光部材の偏光軸と、第２直線偏光部材の偏光軸と、が直交するように、第１偏光部材と、第２偏光部材と、が配置されていてもよい。なお、本開示において、直交とは略直交を含む。なお、第１光学部材及び第２光学部材として偏光部材を用いる場合の構成としては、第１偏光部材の偏光軸と第２偏光部材の偏光軸とが直交となるように配置する構成に限定されない。例えば、第１偏光部材の偏光軸と第２偏光部材の偏光軸は、第１光源及び第２光源からの光束の透過を、眩しさを感じない程度に抑制できる角度関係で配置されていればよい。例えば、第１偏光部材の偏光軸と第２偏光部材の偏光軸が、３０度、４５度、６０度等のずれが生じるように配置する構成としてもよい。
【００３３】
例えば、抑制ユニットは、光学部材を備える構成に限定されない。例えば、抑制ユニットは、被検者の顔の位置を固定する額当て（例えば、額当て５１）と、被検者の顔が額当てに当接しているか否かを検出する検出ユニット（例えば、検出ユニット８０）と、を備える構成としてもよい。この場合、例えば、抑制ユニットは、検出ユニットの検出結果に基づいて、被検者の顔が額当てに当接していない間は、第１光源及び第２光源を消灯させ、被検者の顔が額当てに当接している間は、第１光源及び第２光源を点灯させる制御を行うようにしてもよい。なお、本開示において、消灯は、わずかに点灯している状態も含む。
【００３４】
例えば、自覚式検眼装置は、被検者の顔の位置を固定する額当てと、被検者の顔が前記額当てに当接しているか否かを検出する検出ユニットとを備える。また、検出ユニットの検出結果に基づいて、抑制ユニットは第１光源及び第２光源の点灯を制御する。これによって、被検者の顔が額当てに当接していない間は、第１光源及び前記第２光源が消灯され、被検者の顔が額当てに当接している間は、第１光源及び前記第２光源が点灯される。検者は、被検者の顔と額当てとの距離が変化しても、第１光源あるいは第２光源の点灯及び消灯を容易に行うことができ、観察している被検眼とは反対側の被検眼を照射する光源の眩しさを気にかけることなく、被検眼の角膜頂点位置を確認することができる。
【００３５】
また、例えば、抑制ユニットは、操作ユニット（例えば、操作ユニット９０）を備える構成としてもよい。この場合、例えば、操作ユニットは、第１光源及び第２光源の点灯及び消灯を選択するために用いられる。例えば、抑制ユニットは、操作ユニットからの操作信号に基づいて、第１光源の点灯又は消灯と、第２光源の点灯又は消灯と、をそれぞれ個別に制御するようにしてもよい。例えば、操作ユニットは、眼屈折力測定ユニット５０に配置される構成であってもよい。また、例えば、操作ユニットは、眼屈折力測定ユニット５０とは別途設けられる構成であってもよい。この場合、例えば、コントローラ７１に設けられる構成であってもよい。
【００３６】
例えば、自覚式検眼装置は、第１光源及び第２光源の点灯及び消灯を選択するための操作ユニットを備える。また、操作ユニットからの操作信号に基づいて、第１光源の点灯または消灯と、第２光源の点灯または消灯と、がそれぞれ個別に制御される。このため、検者は、観察しない側の被検眼を照明する光源を消灯させて、観察する側の被検眼のみを点灯させることができるようになる。従って、検者は、観察している被検眼とは反対側の被検眼を照射する光源の眩しさを気にかけることなく、被検眼の角膜頂点位置を確認することができる。
【００３７】
＜実施例＞
以下、本実施例における自覚式検眼装置について説明する。図１は、自覚式検眼装置１の全体を正面側から示す斜視図である。例えば、本実施例では、被検眼Ｅが位置する側を自覚式検眼装置全体の正面とし、検者眼ＯＥが位置する側を自覚式検眼装置全体の背面として説明する。
【００３８】
例えば、自覚式検眼装置１は、支持アーム２、検眼テーブル３、コントローラ７１、眼屈折力測定ユニット５０等を備える。例えば、被検眼Ｅは、眼屈折力測定ユニット５０の前面から、後述する検査窓５３を介して検査視標を観察する。例えば、検者眼ＯＥは、眼屈折力測定ユニット５０の後面から、後述する検査窓５３を介して被検眼Ｅの正面を観察する。また、例えば、検者眼ＯＥは、眼屈折力測定ユニット５０の後面から、後述する確認窓１１を介して被検眼Ｅの側方を観察する。
【００３９】
＜眼屈折力測定ユニット＞
以下、眼屈折力測定ユニット５０について説明する。図２は、本実施例に係る眼屈折力測定ユニット５０を前面（被検眼Ｅ側）から示す外観略図である。図３は、本実施例に係る眼屈折力測定ユニット５０を後面（検者眼ＯＥ側）から示す外観略図である。例えば、眼屈折力測定ユニット５０は、額当て５１、連結部５２、額当て調整ノブ５、検査窓５３、移動ユニット５４、左右一対のレンズ室ユニット５５等を備える。
【００４０】
例えば、額当て５１は、被検者の額と当接することによって、被検者の顔の位置を固定する。このため、被検眼Ｅは、検査窓５３に対して一定の距離に保たれる。例えば、連結部５２は、その一端が額当て５１に連結し、他端が移動ユニット５４に連結している。例えば、額当て調整ノブ５は、額当て５１の位置を調整するために用いる。
【００４１】
例えば、移動ユニット５４は、駆動部５８、駆動部５９等を備える。例えば、駆動部５８はスライド機構を有し、レンズ室ユニット５５の間隔を調整する。これによって、検者は、被検眼Ｅの瞳孔間距離に合わせて、検査窓５３の間隔を変更することができる。また、例えば、駆動部５９は輻輳機構を有し、レンズ室ユニット５５の輻輳角（打寄せ角）を調整する。なお、移動ユニットの詳細な構成については、特開２００４−３２９３４５号公報を参考にされたい。
【００４２】
例えば、レンズ室ユニット５５は、光源４０、レンズディスク４５、駆動部５６、駆動部５７、角膜位置照準ユニット１０、抑制ユニット３０等を備える。例えば、光源４０には、ＬＥＤ（Light emitting diode）等が用いられる。例えば、光源４０は、左右の被検眼のうちの一方の被検眼を照明する第１光源４０ａと、左右の被検眼のうちの他方の被検眼を照明する第２光源４０ｂと、を備える（図２及び図４参照）。例えば、本実施例においては、第１光源４０ａが左眼用レンズ室ユニット５５Ｌに配置されて左被検眼ＥＬを照明し、第２光源４０ｂが右眼用レンズ室ユニット５５Ｒに配置されて右被検眼ＥＲを照明する構成を例に挙げる。
【００４３】
例えば、レンズディスク４５は、同一円周上に多数の光学素子４６（球面レンズ、円柱レンズ、分散プリズム等）を配置する。例えば、駆動部５６（アクチュエータ、ステッピングモータ等）は、レンズディスク４５を回転制御する。これによって、検者が所望する光学素子４６が、検査窓５３に切り換え配置される。例えば、駆動部５７（モータ、ソレノイド、ステッピングモータ等）は、検査窓５３に配置された光学素子４６を回転制御する。これによって、左右の検査窓５３には、検者が所望する回転角度で光学素子４６が配置される。
【００４４】
例えば、レンズディスク４５は、１枚のレンズディスク、または複数枚のレンズディスクからなる。例えば、複数枚のレンズディスク（レンズディスク群）を備える場合には、各レンズディスクに対応する駆動部がそれぞれ設けられる。例えば、レンズディスク群の各レンズディスクは、開口（または０Ｄのレンズ）及び複数の光学素子を備える。各レンズディスクの種類としては、度数の異なる複数の球面レンズを有する球面レンズディスク、度数の異なる複数の円柱レンズを有する円柱レンズディスク、補助レンズディスクが代表的である。例えば、補助レンズディスクには、赤フィルタ／緑フィルタ、プリズム、クロスシリンダレンズ、偏光板、マドックスレンズ、オートクロスシリンダレンズの少なくともいずれかが配置される。なお、レンズディスクの詳細な構成については、特開２００７−６８５７４号公報及び特開２０１１−７２４３１号公報を参考にされたい。
【００４５】
＜角膜位置照準ユニット＞
以下、角膜位置照準ユニット１０について説明する。図４は、角膜位置照準ユニット１０を示す図である。例えば、角膜位置照準ユニット１０は、第１角膜位置照準ユニット１０ａと、第２角膜位置照準ユニット１０ｂと、を備える。例えば、本実施例においては、左眼用レンズ室ユニット５５Ｌが第１角膜位置照準ユニット１０ａを有し、右眼用レンズ室ユニット５５Ｒが第２角膜位置照準ユニット１０ｂを有する構成を例に挙げる。
【００４６】
例えば、第１角膜位置照準ユニット１０ａは、第１光源４０ａによって照明された一方の被検眼（例えば、本実施例においては左被検眼ＥＬ）の角膜頂点と、レンズ装用基準位置（後述する）と、の頂点間距離を確認するために用いる。例えば、第１角膜位置照準ユニット１０ａは、第１確認窓１１ａと、第１観察窓１２ａと、第１角膜位置照準光学系２０ａと、からなる。例えば、第１確認窓１１ａは、眼屈折力測定ユニット５０の内部に配置された第１角膜位置照準光学系２０ａを、眼屈折力測定ユニット５０の外部から確認するために用いる。例えば、第１観察窓１２ａは、第１光源４０ａから照射され、一方の被検眼（例えば、左被検眼ＥＬ）によって反射された反射光を、眼屈折力測定ユニット５０の内部に配置された第１角膜位置照準光学系２０ａへと導光するために用いる。
【００４７】
例えば、第１角膜位置照準光学系２０ａは、第１光源４０ａから照射されて、一方の被検眼（例えば、左被検眼ＥＬ）によって反射された反射光を、第１確認窓１１ａへと導光する。例えば、第１角膜位置照準光学系２０ａは、反射ミラー２２、照準目盛板２３、レチクル板２４等を備える。例えば、反射ミラー２２は、左被検眼ＥＬの側方向（Ｘ方向）に配置される。例えば、照準目盛板２３は、反射ミラー２２と第１確認窓１１ａとの間に設けられている。なお、照準目盛板２３は、左被検眼ＥＬと反射ミラー２２との間に設けられてもよい。例えば、レチクル板２４は、第１確認窓１１ａの背面側（左眼用レンズ室ユニット５５Ｌの内側）に配置されている。
【００４８】
例えば、図５は照準目盛板２３とレチクル板２４の構成図である。図５（ａ）は照準目盛板２３を示し、図５（ｂ）はレチクル板２４を示している。例えば、照準目盛板２３には、数本の目盛り線Ｓ１〜Ｓ５、中央線Ｓ６、第１指標２７が付されている。例えば、目盛り線Ｓ１〜Ｓ５は、順に角膜頂点間距離ＶＤ（図４参照）＝１２ｍｍ、１３．７５ｍｍ、１６ｍｍ、１８ｍｍ、２０ｍｍに対応する。例えば、目盛り線Ｓ２（１３．７５ｍｍ）はレンズ装用時における基準位置となり、他の目盛り線と区別できるように描かれている。例えば、中央線Ｓ６は、レチクル板２４におけるレチクル２８を位置合わせするための基準として用いられる。また、例えば、中央線Ｓ６は、照準目盛板２３の左右中央に位置する。例えば、レチクル板２４には、レチクル２８及び第２指標２９等が付されている。例えば、レチクル２８は三角形状に形成されている。また、レチクル２８は、レチクル板２４の左右中央に位置する。例えば、レチクル板２４の外周部分には、ＶＤを示す数値２５が表示されている。
【００４９】
例えば、照準目盛板２３における第１指標２７、及びレチクル板２４における第２指標２９は、レチクル板２４に対して検者眼ＯＥを所定の距離に導くための指標である。例えば、本実施例においては、検者眼ＯＥがレチクル板２４から２５０ｍｍ離れて位置する場合に、第１指標２７と第２指標２９がひとつに重なってみえる。例えば、第２指標２９に対して第１指標２７が内側に位置する場合、検者眼ＯＥはレチクル板２４に対して２５０ｍｍよりも近くに位置した状態である。反対に、第２指標２９に対して第１指標２７が外側に位置する場合、検者眼ＯＥはレチクル板２４に対して２５０ｍｍよりも遠くに位置した状態である。なお、照準目盛板とレチクル板の詳細な構成及びそれぞれの位置関係については、特開２００４−２２９７６９号公報を参考にされたい。
【００５０】
例えば、第２角膜位置照準ユニット１０ｂは、第２光源４０ｂによって照明された他方の被検眼（例えば、本実施例においては右被検眼ＥＲ）の角膜頂点と、レンズ装用基準位置と、の頂点間距離を確認するために用いる。例えば、第２角膜位置照準ユニット１０ｂは、第２確認窓１１ｂと、第２観察窓１２ｂと、第２角膜位置照準光学系２０ｂと、からなる。例えば、第２確認窓１１ｂは、眼屈折力測定ユニットの内部に配置された第２角膜位置照準光学系２０ｂを、眼屈折力測定ユニット５０の外部から確認するために用いる。また、例えば、第２観察窓１２ｂは、第２光源４０ｂから照射され、一方の被検眼（例えば、左被検眼ＥＬ）によって反射された反射光を、眼屈折力測定ユニット５０の内部に配置された第２角膜位置照準光学系２０ｂへと導光するために用いる。
【００５１】
例えば、第２角膜位置照準光学系２０ｂは、第２光源４０ｂから照射されて、他方の被検眼（例えば、右被検眼ＥＲ）によって反射された反射光を、第２確認窓１１ｂへと導光する。なお、第２角膜位置照準光学系２０ｂが備える構成は、第１角膜位置照準光学系２０ａが備える構成と同様であるため、本実施例においてはその説明を省略する。もちろん、これらの角膜位置照準光学系が備える構成は、その一部が異なっていてもよい。
【００５２】
＜抑制ユニット＞
以下、抑制ユニット３０について説明する。例えば、抑制ユニット３０は、第２光源４０ｂからの光が、第１角膜位置照準光学系２０ａを介して第１確認窓１１ａから照射されることを抑制する。また、例えば、抑制ユニット３０は、第１光源４０ａからの光が、第２角膜位置照準光学系２０ｂを介して第２確認窓１１ｂから照射されることを抑制する。例えば、本実施例においては、抑制ユニット３０として光学部材を用いる構成を例に挙げて説明する。
【００５３】
例えば、抑制ユニット３０は、第１角膜位置照準ユニット１０ａに配置される第１光学部材と、第２角膜位置照準ユニット１０ｂに配置される第２光学部材と、を備える。例えば、第１光学部材は、第１光源４０ａによる光を透過し、第２光源４０ｂによる光の透過を抑制する。また、例えば、第２光学部材は、第２光源４０ｂによる光を透過し、第１光源４０ａによる光の透過を抑制する。例えば、このような光学部材としては、偏光部材（例えば、偏光板、偏光シート、偏光フィルム等）を利用することができる。そこで、以下においては、第１光学部材を第１偏光部材３０ａとして、第２光学部材を第２偏光部材３０ｂとして説明する。
【００５４】
図６は、第１偏光部材３０ａ及び第２偏光部材３０ｂの配置を説明する図である。なお、本実施例においては、第１偏光部材３０ａ及び第２偏光部材３０ｂとして直線偏光部材を用いる場合を例に挙げて説明する。例えば、本実施例では、第１角膜位置照準ユニット１０ａが備える第１観察窓１２ａが、第１偏光部材３０ａとしての役割を兼ねている。このため、以下の説明では、第１観察窓１２ａを第１偏光部材３０ａと記載する。また、例えば、本実施例では、第２角膜位置照準ユニット１０ｂが備える第２観察窓１２ｂが、第２偏光部材３０ｂとしての役割を兼ねている。このため、以下の説明では、第２観察窓１２ｂを第２偏光部材３０ｂと記載する。
【００５５】
例えば、第１偏光部材３０ａは、第１光源４０ａの近傍に位置する。例えば、本実施例における近傍とは、第１偏光部材３０ａが第１光源４０ａの周辺に位置する状態を表している。例えば、第１偏光部材３０ａは、第１光源４０ａの光束が第２角膜位置照準ユニット１０ｂに向けて照射される光路Ｌ２ａ中に配置される。さらに、例えば、第１偏光部材３０ａは、第１光源４０ａの光束が左被検眼ＥＬに反射された後に、第１角膜位置照準ユニット１０ａに向けて照射される光路Ｌ３ａ中に配置される。このため、第１偏光部材３０ａは、第２偏光部材３０ｂの配置位置よりも、第１角膜位置照準ユニット１０ａ側に配置された構成となっている。なお、第１光源４０ａの光束が照射される光路については、後で詳しく述べる。
【００５６】
同様に、例えば、第２偏光部材３０ｂは、第２光源４０ｂの近傍に位置する。例えば、本実施例における近傍とは、第２偏光部材３０ｂが第２光源４０ｂの周辺に位置する状態を表している。例えば、第２偏光部材３０ｂは、第２光源４０ｂの光束が第１角膜位置照準ユニット１０ａに向けて照射される光路Ｌ２ｂ中に配置される。さらに、例えば、第２偏光部材３０ｂは、第２光源４０ｂの光束が右被検眼ＥＲに反射された後に、第２角膜位置照準ユニット１０ｂに向けて照射される光路Ｌ３ｂ中に配置される。このため、第２偏光部材３０ｂは、第１偏光部材３０ａの配置位置よりも、第２角膜位置照準ユニット１０ｂ側に配置された構成となっている。なお、第２光源４０ｂの光束が照射される光路については、第１光源４０ａの光束が照射される光路とともに後で詳しく述べる。
【００５７】
例えば、第１偏光部材３０ａ及び第２偏光部材３０ｂは、第１偏光部材３０ａがもつ偏光軸Ｓａと、第２偏光部材３０ｂがもつ偏光軸Ｓｂと、が直交するように配置されている。もちろん、第１偏光部材３０ａ及び第２偏光部材３０ｂの配置は、それぞれの偏光軸Ｓａ及びＳｂが略直交となる状態を含んでいてもよい。なお、偏光部材と偏光軸との関係については、以下において詳しく説明する。
【００５８】
例えば、第１光源４０ａ及び第２光源４０ｂからの光束は、進行方向に対してあらゆる方向（例えば、水平方向、垂直方向、斜方向等）に振動している。例えば、偏光部材を用いることによって、あらゆる方向に振動する光束から、特定の方向に振動する光束を取り出すことができる。言い換えると、あらゆる方向に振動する光束のうち、特定の方向に振動する光束が偏光部材を透過することができる。
【００５９】
図７は、第１偏光部材３０ａ及び第２偏光部材３０ｂがもつ偏光軸Ｓａ及びＳｂを説明する図である。図７（ａ）は、第１光源４０ａからの光束が第１偏光部材３０ａを通過した状態を示す。図７（ｂ）は、第２光源４０ｂからの光束が第２偏光部材３０ｂを通過した状態を示す。例えば、本実施例においては、第１偏光部材３０ａが９０度方向の偏光軸Ｓａをもち、第２偏光部材３０ｂが１８０度方向の偏光軸Ｓｂをもつ場合を例に挙げる。
【００６０】
例えば、図７（ａ）に示すように、第１光源４０ａから矢印Ａ方向へ照射された光束は、９０度方向に偏光軸Ｓａをもつ第１偏光部材３０ａを透過することによって、偏光軸Ｓａと同じ垂直方向の光束となる。このため、左被検眼ＥＬには、第１光源４０ａから９０度方向の偏光軸Ｓａをもつ直線偏光が到達する。
【００６１】
例えば、この直線偏光が左被検眼ＥＬに反射されて入射方向と平行に返されたときには、第１偏光部材３０ａがもつ偏光軸Ｓａと直線偏光とが同一方向であるために、直線偏光は再び第１偏光部材３０ａを透過する。なお、例えば、直線偏光は入射方向と略平行に返された場合であっても、再び第１偏光部材３０ａを透過することができる。
【００６２】
しかし、例えば、９０度方向の偏光軸Ｓａをもつ直線偏光が直進して、第２偏光部材３０ｂに到達したときには、第２偏光部材３０ｂに入射する直線偏光と、第２偏光部材３０ｂがもつ偏光軸Ｓｂ（１８０度方向）と、が異なるため、第２偏光部材３０ｂへの光の透過は抑制される。
【００６３】
同様に、例えば、図７（ｂ）に示すように、第２光源４０ｂから矢印Ｂ方向へ照射された光束は、１８０度方向に偏光軸Ｓｂをもつ第２偏光部材３０ｂを透過することによって、偏光軸Ｓｂと同じ水平方向の光束となる。このため、右被検眼ＥＲには、第２光源４０ｂから１８０度方向の偏光軸Ｓｂをもつ直線偏光が到達する。
【００６４】
また、例えば、この直線偏光が右被検眼ＥＲに反射されて入射方向と平行に返されたときには、第２偏光部材３０ｂがもつ偏光軸Ｓｂと直線偏光とが同一方向であるために、直線偏光は再び第２偏光部材３０ｂを透過する。しかし、例えば、この直線偏光が直進して第１偏光部材３０ａに到達したときには、第１偏光部材３０ａに入射する直線偏光と、第１偏光部材３０ａがもつ偏光軸Ｓａ（９０度方向）と、が異なるため、第１偏光部材３０ａへの光の透過は抑制される。
【００６５】
例えば、上記のように、第１偏光部材３０ａ及び第２偏光部材３０ｂがもつ偏光軸Ｓａ及びＳｂを直交させることによって、第１光源４０ａからの光束は第１偏光部材３０ａを透過することはできるが、第２偏光部材３０ｂを透過することはできなくなる。また、第１偏光部材３０ａ及び第２偏光部材３０ｂがもつ偏光軸Ｓａ及びＳｂを直交させることによって、第２光源４０ｂからの光束は第２偏光部材３０ｂを透過することはできるが、第１偏光部材３０ａを透過することはできなくなる。
【００６６】
なお、本実施例では、第１偏光部材３０ａ及び第２偏光部材３０ｂがもつ偏光軸Ｓａ及びＳｂを直交させる構成を例に挙げて説明したがこれに限定されない。例えば、これらの偏光軸は、必ずしも直交となる配置でなくてもよい。すなわち、これらの偏光軸は、第１光源４０ａ及び第２光源４０ｂからの光束の透過を、眩しさを感じない程度に抑制できる角度で配置されていればよい。例えば、この場合には、第１偏光部材３０ａ及び第２偏光部材３０ｂがもつ偏光軸を、３０度、４５度、６０度等のずれが生じるように配置してもよい。このような構成であれば、第１光源４０ａからの光束は、その透過が第２偏光部材３０ｂによってほぼ抑制されるのではなく、第２偏光部材３０ｂによって減光した光束となって透過することができる。また、このような構成であれば、第２光源４０ｂからの光束は、その透過が第１偏光部材３０ａによってほぼ抑制されるのではなく、第１偏光部材３０ａによって減光した光束となって透過することができる。
【００６７】
＜角膜位置照準ユニットの光軸と光路＞
以下、角膜位置照準ユニット１０が有する光軸及び光路について説明する（図４及び図６参照）。例えば、本実施例では、左眼用レンズ室ユニット５５Ｌにおける第１角膜位置照準ユニット１０ａの光軸と光路を例に挙げる。なお、右眼用レンズ室ユニット５５Ｒにおける第２角膜位置照準ユニット１０ｂの光軸及び光路については、左眼用レンズ室ユニット５５Ｌにおける第１角膜位置照準ユニット１０ａの光軸及び光路と同様であるため、その説明については省略する。
【００６８】
例えば、第１角膜位置照準ユニット１０ａは、光軸Ｏ１ａ、光軸Ｏ２ａ、光軸Ｏ３ａ、光軸Ｏ４ａを有する（図４参照）。例えば、光軸Ｏ１ａは、第１光源４０ａから出射された光束が反射ミラー２２に向かう際の光軸を示している。また、例えば、光軸Ｏ２ａは、反射ミラー２２によって反射された第１光源４０ａからの光束が、左眼用レンズ室ユニット５５Ｌの内部から外部へ向けて出射される際の光軸を示している。また、例えば、光軸Ｏ３ａは、左眼用レンズ室ユニット５５Ｌの外部から入射した光束が反射ミラー２２に向かう際の光軸を示している。また、例えば、光軸Ｏ４ａは、反射ミラー２２によって反射された左眼用レンズ室ユニット５５Ｌの外部から入射した光束が、左眼用レンズ室ユニット５５Ｌの内部から外部へ向けて出射される際の光軸を示している。
【００６９】
また、例えば、第１角膜位置照準ユニット１０ａは、光路Ｌ１ａ、光路Ｌ２ａ、光路Ｌ３ａ、光路Ｌ４ａを有する（図６参照）。例えば、本実施例における光軸Ｏ１ａは、光路Ｌ１ａの中心を通過する。もちろん、光軸Ｏ１ａは、光路Ｌ１ａの中心を通過する構成に限定されない。例えば、光軸Ｏ１ａは、光路Ｌ１ａ中を通過する構成であってもよい。また、例えば、本実施例における光軸Ｏ２ａは、光路Ｌ２ａの中心を通過する。もちろん、光軸Ｏ２ａは、光路Ｌ２ａの中心を通過する構成に限定されない。例えば、光軸Ｏ２ａは、光路Ｌ２ａ中を通過する構成であってもよい。また、例えば、本実施例における光軸Ｏ３ａは、光路Ｌ３ａの中心を通過する。もちろん、光軸Ｏ３ａは、光路Ｌ３ａの中心を通過する構成に限定されない。例えば、光軸Ｏ３ａは、光路Ｌ３ａ中を通過する構成であってもよい。また、例えば、本実施例における光軸Ｏ４ａは、光路Ｌ４ａの中心を通過する。もちろん、光軸Ｏ４ａは、光路Ｌ４ａの中心を通過する構成に限定されない。例えば、光軸Ｏ４ａは、光路Ｌ４ａ中を通過する構成であってもよい。例えば、第１確認窓１１ａと、第１偏光部材３０ａと、第１角膜位置照準光学系２０ａが備える反射ミラー２２、照準目盛板２３、レチクル板２４と、はこれらの光軸上のいずれかに配置されている。
【００７０】
例えば、第１光源４０ａは、反射ミラー２２と照準目盛板２３との間に配置される。また、例えば、第１光源４０ａは、照準目盛板２３の上下中央かつ照準目盛板２３の側方に配置される。例えば、第１光源４０ａは、光路Ｌ１ａ上に配置される。例えば、第１光源４０ａから照射される光束は、光路Ｌ１ａの中心に位置する光軸Ｏ１ａを通って反射ミラー２２へと入射し、反射ミラー２２から第２偏光部材３０ｂへと向かう光軸Ｏ２ａ方向へと反射される。この光束は、光軸Ｏ２ａ方向へと反射された後に、第１偏光部材３０ａ（第１観察窓１２ａ）を透過して左被検眼ＥＬに到達する。
【００７１】
ここで、例えば、左被検眼ＥＬに到達した光束は、左被検眼ＥＬから反射ミラー２２へと向かう光軸Ｏ３ａ方向に反射される。この光束は、再び第１偏光部材３０ａを透過して第１角膜位置照準光学系２０ａへと入射し、反射ミラー２２に反射され、反射ミラー２２から第１確認窓１１ａへと向かう光軸Ｏ４ａ方向へと導光される。これによって、検者眼ＯＥには、照準目盛板２３、レチクル板２４、及び第１確認窓１１ａを通過した光束が到達するので、検者は左被検眼ＥＬの側方を観察することができる。
【００７２】
また、例えば、第１光源４０ａから照射され、上記のように光軸Ｏ１ａから光軸Ｏ２ａ方向に導光された光束は、左被検眼ＥＬが検査窓５３Ｌから離れていた場合等には、点線で示す光軸Ｏ２ａの延長線上を通って第２偏光部材３０ｂ（第２観察窓１２ｂ）に到達する。しかしながら、この光束は、第１偏光部材３０ａによって特定の方向に偏光軸をもつ直線偏光となっているため、第２偏光部材３０ｂを透過できず、第２角膜位置照準光学系２０ｂへは入射しない。
【００７３】
＜制御部＞
例えば、図８は、自覚式検眼装置１における制御系の概略構成図である。例えば、制御部７０には、コントローラ７１、不揮発性メモリ７２、第１光源４０ａ、第２光源４０ｂ、眼屈折力測定ユニット５０の各部材が備える駆動部（駆動部５６、５７、５８、５９）等が電気的に接続されている。
【００７４】
例えば、制御部７０は、ＣＰＵ（プロセッサ）、ＲＡＭ、ＲＯＭ等を備える。例えば、ＣＰＵは、自覚式検眼装置１における各部材の制御を司る。例えば、ＲＡＭは、各種の情報を一時的に記憶する。例えば、ＲＯＭには、自覚式検眼装置１の動作を制御するための各種プログラム等が記憶されている。なお、制御部７０は、複数の制御部（つまり、複数のプロセッサ）によって構成されてもよい。
【００７５】
例えば、コントローラ７１は、被検者の他覚検査結果（例えば、球面屈折度数、円柱屈折度数、乱視軸角度等）や瞳孔間距離を入力し、眼屈折力測定ユニット５０における光学素子４６や検査窓５３の配置等を切り換える際に用いる。例えば、コントローラ７１から入力された信号は、ケーブルを介して制御部７０に入力される。なお、コントローラ７１からの信号は、赤外線等の無線通信を介すことによって制御部７０へ入力される構成としてもよい。
【００７６】
例えば、不揮発性メモリ７２は、電源の供給が遮断されても記憶内容を保持できる非一過性の記憶媒体である。例えば、不揮発性メモリ７２としては、ハードディスクドライブ、フラッシュＲＯＭ、ＵＳＢメモリ等を使用することができる。
【００７７】
＜制御動作＞
以上の構成を備える自覚式検眼装置において、その動作を説明する。例えば、検者は自覚式検査を実施する前に、予め被検者の瞳孔間距離（ＰＤ）を測定してもよい。検者がコントローラ７１を用いて被検者のＰＤを入力すると、制御部７０は駆動部５８を駆動させてレンズ室ユニット５５の間隔を調整し、検査窓５３の間隔を被検眼ＥのＰＤに合わせて変更する。
【００７８】
この状態において、検者は被検者に検査窓５３を覗くよう指示する。被検者は、検者の指示に応じて眼屈折力測定ユニット５０が備える額当て５１に顔を当接し、検査窓５３を覗き込む。ここで、検者がコントローラ７１を操作して、被検者の角膜頂点位置を観察するためのモードを設定すると、制御部７０は第１光源４０ａ及び第２光源４０ｂをそれぞれ点灯させる。これによって、左被検眼ＥＬ及び右被検眼ＥＲは、十分な光量でそれぞれ照明される。
【００７９】
次いで、検者は、左被検眼ＥＬの角膜頂点位置を確認するために、左眼用レンズ室ユニット５５Ｌが備える第１確認窓１１ａを覗く。例えば、図９は、角膜頂点位置を確認する際の照準目盛板２３とレチクル板２４を示す図である。検者は、照準目盛板２３における第１指標２７と、レチクル板２４における第２指標２９と、の上下左右が合致し、第１指標と第２指標とが重なって１つにみえる位置を探す。さらに、検者は、レチクル２８の先端と中央線Ｓ６が合致してみえる位置を探す。例えば、検者はこのような位置合わせを行ってから、左被検眼ＥＬの側方を確認する。
【００８０】
ここで、例えば、被検者の顔が額当て５１に当接している場合（または、被検者の顔が所定の検査位置にある場合）、第１光源４０ａからの光束は、左被検眼ＥＬに反射されて第１確認窓１１ａに導光されている。しかし、第２光源４０ｂからの光束は、右被検眼ＥＲに遮られるため、第１確認窓１１ａには導光されていない。この状態で検者が第１確認窓１１ａを覗き込むと、検者眼ＯＥには第１光源４０ａから照射された光束が投影される。例えば、検者は、このような場合に、第１確認窓１１ａを用いて左被検眼ＥＬの側方を容易に観察し、左被検眼ＥＬの角膜頂点位置を確認することができる。
【００８１】
また、例えば、被検者の顔が額当て５１から離れた場合（または、被検者の顔が所定の検査位置にない場合）、第１光源４０ａからの光束は、左被検眼ＥＬによって反射されずに、第２確認窓１１ｂに向かって導光される。また、第２光源４０ｂからの光束は、右被検眼ＥＲに遮られることなく、第１確認窓１１ａに向かって導光される。例えば、第１偏光部材３０ａが配置されていなければ、検者が第１確認窓１１ａを覗き込んだときに、検者眼ＯＥには第２光源４０ｂから照射された光束が入射する。このため、検者は眩しさを感じて、左被検眼ＥＬの側方を観察することが困難になる。例えば、本実施例で説明したように、自覚式検眼装置１に第１偏光部材３０ａが配置されていれば、第２光源４０ｂからの光束は第１偏光部材３０ａによって偏光され、第１確認窓１１ａには導光されなくなる。このため、検者が第１確認窓１１ａを覗き込んでも、検者眼ＯＥには第２光源４０ｂから照射された光束が入射しない。従って、検者は、第２光源４０ｂから照射される光束の眩しさを感じることなく、第１確認窓１１ａを用いて左被検眼ＥＬの側方を容易に観察し、左被検眼ＥＬの角膜頂点位置を確認することができる。
【００８２】
例えば、検者は上述のように第１確認窓１１ａを用いて左被検眼ＥＬの側方を確認しながら、額当て調整ノブ５（図３参照）を操作して、眼屈折力測定ユニット５０における額当て５１の位置を調整する。これによって、検者は左被検眼ＥＬの角膜頂点位置を移動させ、目盛り線Ｓ２と角膜頂点位置とを一致させることができる。
【００８３】
この後、検者は、右被検眼ＥＲの角膜頂点位置を確認するために、右眼用レンズ室ユニット５５Ｒが備える第２確認窓１１ｂを覗き、上記と同様にして右被検眼ＥＲの位置合わせを行う。なお、本実施例においては、左被検眼ＥＬ、右被検眼ＥＲの順に角膜頂点位置を確認する場合を例に挙げたが、角膜頂点位置は左被検眼ＥＬと右被検眼ＥＲのどちらから確認してもよい。
【００８４】
以上説明したように、例えば、本実施例における自覚式検眼装置は、左右の被検眼の内の一方の被検眼を照明する第１光源と、前記左右の被検眼の内の他方の被検眼を照明する第２光源と、を備える。また、例えば、本実施例における自覚式検眼装置は、第２光源からの光が第１角膜位置照準光学系を介して第１確認窓から照射されることを抑制するとともに、第１光源からの光が第２角膜位置照準光学系を介して第２確認窓から照射されることを抑制する抑制ユニットを備える。このため、第１光源及び第２光源から照射される光束は、角膜位置照準光学系を介して検者眼へと入射する際に、抑制ユニットによって抑制される。つまり、第１光源及び第２光源から照射される光束は、抑制ユニットを通過することによって減光した後に、被検眼へと入射する。従って、検者は、第１確認窓あるいは第２確認窓から被検眼を観察する際に眩しさを感じることを抑制でき、眼屈折力測定ユニットと被検眼との位置合わせを精度よく行うことができる。
【００８５】
また、例えば、本実施例における自覚式検眼装置は、抑制ユニットとして、第１角膜位置照準ユニットに配置され、第１光源による光を透過して第２光源による光の透過を抑制する第１光学部材を備える。また、本実施例における自覚式検眼装置は、抑制ユニットとして、第２角膜位置照準ユニットに配置され、第２光源による光を透過して第１光源による光の透過を抑制する第２光学部材を備える。これによって、検者は、簡易的な構成で、眼屈折力測定ユニットと被検眼との位置合わせを容易に行うことができる。
【００８６】
また、例えば、本実施例における自覚式検眼装置は、第１光学部材として第１偏光部材を備え、第２光学部材として第２偏光部材を備える。また、例えば、本実施例における自覚式検眼装置は、第１偏光部材が、第１光源の光が第２角膜位置照準ユニットに向けて照射される光路中に配置されているとともに、第１角膜位置照準ユニットの光路中に配置されている。また、例えば、本実施例における自覚式検眼装置は、第２偏光部材が、第２光源の光が第１角膜位置照準ユニットに向けて照射される光路中に配置されているとともに、第２角膜位置照準ユニットの光路中に配置されている。このため、第１光源及び第２光源からの光はそれぞれ偏光され、検者が観察している被検眼とは反対側の被検眼を照射する光源からの光束が、検者眼に入射することを抑制できる。これによって、被検眼が所定の位置から移動して、光源からの光束が検者眼に入射しても、検者は眩しさを感じることを抑制でき、被検眼を容易に確認することができる。また、被検眼を十分な照明光量で照明することができる。
【００８７】
また、例えば、本実施例における自覚式検眼装置は、第１偏光部材の偏光軸と、第２偏光部材の偏光軸と、が直交するように、第１偏光部材と第２偏光部材とが配置されている。このため、第１光源及び第２光源から検者眼に導光される光束を、より効果的に抑制することができる。すなわち、第１偏光部材は、第２偏光部材を透過した光束を遮断し、第２偏光部材は、第１偏光部材を透過した光束を遮断する。従って、検者が被検眼の角膜頂点位置を観察する際に、光源から検者眼に導光される光束をより抑制しやすくなり、検者への負担を軽減させることができる。
【００８８】
＜変容例＞
なお、本実施例では、第１偏光部材３０ａ及び第２偏光部材３０ｂとして、直線偏光を取り出す直線偏光部材を用いる構成を例に挙げて説明したがこれに限定されない。例えば、直線偏光を円偏光に変換する構成を用いてもよい。例えば、直線偏光を円偏光に変換する構成として、第１偏光部材３０ａ及び第２偏光部材３０ｂとして、円偏光部材（例えば、円偏光板）が用いられる構成であってもよい。例えば、円偏光部材としては、直線偏光部材と１／４λ波長板を含む構成であってもよい。この場合、例えば、直線偏光部材と１／４λ波長板とが一体的に形成された円偏光部材を用いてもよい。
【００８９】
また、例えば、直線偏光を円偏光に変換する構成として、本実施例の構成（第１偏光部材３０ａ及び第２偏光部材３０ｂとして直線偏光部材を用いた構成）に対して、さらに、１／４λ波長板が追加で配置される構成であってもよい。この場合には、第１偏光部材３０ａから左被検眼ＥＬまでの間と、第２偏光部材３０ｂから右被検眼ＥＲまでの間と、に１／４λ波長板を設置してもよい。これによって、例えば、第１光源４０ａから照射された光束は、第１偏光部材３０ａを透過して直線偏光となり、さらに１／４λ波長板を透過して円偏光に変換される。この円偏光が左被検眼ＥＬに反射されて入射方向に返されると、再び１／４λ波長板を透過して直線偏光となり、さらに第１偏光部材３０ａを透過して第１確認窓１１ａから検者眼ＯＥへと導光される。また、１／４λ波長板を透過して円偏光に変換された光束は、第２偏光部材３０ｂから右被検眼ＥＲまでの間に設置した１／４λ波長板を透過して直線偏光に変換される。しかし、第２偏光部材３０ｂに入射するこの直線偏光と、第２偏光部材３０ｂがもつ偏光軸と、が異なるので、第２偏光部材３０ｂへの光の透過が抑制される。なお、第２光源４０ｂから照射された光束については、第１光源４０ａから照射された光束と同様に考えることができる。
【００９０】
なお、本実施例においては、第１光源４０ａ及び第２光源４０ｂを反射ミラー２２と照準目盛板２３との間に配置する構成を例に挙げて説明したがこれに限定されない。例えば、第１光源４０ａ及び第２光源４０ｂは、被検眼Ｅを照射することができる位置に配置されていればよい。この場合には、第１光源４０ａ及び第２光源４０ｂを、反射ミラー２２の上部や下部に配置する構成であってもよいし、第１観察窓１２ａ及び第２観察窓１２ｂの上部や下部に配置する構成であってもよい。
【００９１】
また、本実施例では、第１光源４０ａ及び第２光源４０ｂを照準目盛板２３の上下中央かつ照準目盛板２３の側方に配置する構成を例に挙げて説明したがこれに限定されない。例えば、第１光源４０ａ及び第２光源４０ｂは、その光束が検者眼ＯＥへ導光される位置に配置されていればよい。図１０は光源の配置位置の変容例を示す図である。なお、図１０では、説明の便宜上、光路については図示を省略し、光軸のみを示している。
【００９２】
例えば、図１０（ａ）は第１角膜位置照準ユニット１０ａを左被検眼ＥＬ側からみた斜視図である。例えば、図１０（ｂ）は第１角膜位置照準ユニット１０ａを左被検眼ＥＬの右側方（図１０（ａ）中の矢印Ａ方向）からみた図である。例えば、図１０（ｃ）は第１角膜位置照準ユニット１０ａを左被検眼ＥＬの後方（図１０（ａ）中の矢印Ｂ方向）からみた図である。
【００９３】
例えば、第１光源４０ａは、反射ミラー２２と照準目盛板２３との間に配置される。また、例えば、第１光源４０ａは、照準目盛板２３の左右中央かつ照準目盛板２３よりも上部に配置される。例えば、このように配置された第１光源４０ａは、第１光源４０ａから反射ミラー２２へ向かう光軸Ｏ１ａを通過する光束を照射する。例えば、反射ミラー２２から検者眼ＯＥへ向かう光軸Ｏ４ａは、照準目盛板２３、レチクル板２４、及び第１確認窓１１ａの中央を通過する。例えば、本実施例においては、このようにして、光軸Ｏ１ａと光軸Ｏ４ａを左被検眼ＥＬに対して左右方向（Ｘ方向）に同位置に配置することができる。
【００９４】
例えば、このとき、第１光源４０ａから照射された光束は、光軸Ｏ１ａを通過し、反射ミラー２２を介して光軸Ｏ２ａ方向に導光される。例えば、光軸Ｏ２ａを通過した光束は、左被検眼ＥＬによって光軸Ｏ２ａと略平行に反射される。これによって、光軸Ｏ２ａと光軸Ｏ３ａは、左被検眼ＥＬに対して奥行き方向（Ｚ方向）に同位置に配置される。例えば、左被検眼ＥＬに反射されて光軸Ｏ３ａを通過した光束は、反射ミラー２２を介して光軸Ｏ４ａ方向に反射される。
【００９５】
例えば、このように第１光源４０ａが配置されることによって、光軸Ｏ２ａを通過して第２角膜位置照準ユニット１０ｂに向かった光束は、第２角膜位置照準ユニット１０ｂにおける照準目盛板２３、レチクル板２４、及び第２確認窓１１ｂの略中央を通過して検者眼ＯＥへ導光される。このため、検者眼ＯＥは、被検眼を観察する際により眩しさを感じるが、第１偏光部材３０ａ及び第２偏光部材３０ｂの配置によってその眩しさを抑制できるため、眼屈折力測定ユニットと被検眼との位置合わせを精度よく行うことができる。
【００９６】
なお、上記に示した左眼用レンズ室ユニット５５Ｌにおける第１光源４０ａの配置位置、及び光軸については、右眼用レンズ室ユニット５５Ｒにおける第２光源４０ｂの配置位置及び光軸においても同様に考えることができる。
【００９７】
なお、本実施例においては、左眼用レンズ室ユニット５５Ｌを通過する光軸と、右眼用レンズ室ユニット５５Ｒを通過する光軸と、が同軸となる構成であってもよいし、異なる軸となる構成であってもよい。この場合には、例えば、左眼用レンズ室ユニット５５Ｌにおける光軸Ｏ２ａが、右眼用レンズ室ユニット５５Ｒにおける光軸Ｏ２ｂと同軸であってもよいし、異なる軸であってもよい。また、例えば、左眼用レンズ室ユニット５５Ｌにおける光軸Ｏ３ａが、右眼用レンズ室ユニット５５Ｒにおける光軸Ｏ３ｂと同軸であってもよいし、異なる軸であってもよい。
【００９８】
例えば、光軸Ｏ２ａと光軸Ｏ２ｂとが同軸である場合には、第１光源４０ａからの光束（光軸Ｏ１ａ）が反射ミラー２２によって反射されることによって形成される光軸と、第２光源４０ｂからの光束（光軸Ｏ１ｂ）が反射ミラー２２によって反射されることによって形成される光軸と、が延長線上において互いに同軸となる。例えば、光軸Ｏ２ａと光軸Ｏ２ｂとが異なる軸である場合には、第１光源４０ａからの光束（光軸Ｏ１ａ）が反射ミラー２２によって反射されることによって形成される光軸と、第２光源４０ｂからの光束（光軸Ｏ１ｂ）が反射ミラー２２によって反射されることによって形成される光軸と、が延長線上において互いに異なる軸となる。
【００９９】
また、例えば、光軸Ｏ３ａと光軸Ｏ３ｂとが同軸である場合には、左被検眼ＥＬに反射されて反射ミラー２２へと入射する光束による光軸と、右被検眼ＥＲに反射されて反射ミラー２２へと入射する光束による光軸とが、延長線上において互いに同軸となる。例えば、光軸Ｏ３ａと光軸Ｏ３ｂとが異なる軸である場合には、左被検眼ＥＬに反射されて反射ミラー２２へと入射する光束による光軸と、右被検眼ＥＲに反射されて反射ミラー２２へと入射する光束による光軸とが、延長線上において互いに異なる軸となる。
【０１００】
なお、本実施例においては、眼屈折力測定ユニット５０の内部に第１角膜位置照準光学系２０ａを配置し、眼屈折力測定ユニット５０の外部に第１確認窓１１ａを配置する構成を例に挙げて説明したがこれに限定されない。例えば、本実施例においては、第１角膜位置照準ユニット１０ａにおける第１確認窓１１ａと、第１角膜位置照準光学系２０ａを構成する部材の少なくともいずれかと、が眼屈折力測定ユニット５０の内部に配置されていてもよいし、外部に配置されていてもよい。同様に、本実施例においては、眼屈折力測定ユニット５０の内部に第２角膜位置照準ユニット１０ｂを配置し、眼屈折力測定ユニット５０の外部に第２確認窓１１ｂを配置する構成を例に挙げて説明したがこれに限定されない。例えば、本実施例においては、第２角膜位置照準ユニット１０ｂにおける第２確認窓１１ｂと、第２角膜位置照準光学系２０ｂを構成する部材の少なくともいずれかと、が眼屈折力測定ユニット５０の内部に配置されていてもよいし、外部に配置されていてもよい。
【０１０１】
なお、本実施例では、第１偏光部材３０ａと第１観察窓１２ａとが兼用される構成を例に挙げて説明したがこれに限定されない。例えば、第１偏光部材３０ａと第１観察窓１２ａとが、隣接して配置される構成であってもよい。また、例えば、第１偏光部材３０ａが、第１観察窓１２ａとは別に設けられる構成であってもよい。
【０１０２】
例えば、第１偏光部材３０ａと第１観察窓１２ａとが隣接する構成であれば、第１偏光部材３０ａとして偏光軸をもつ偏光シート等を用い、第１観察窓１２ａに貼り付けてもよい。例えば、この場合、第１偏光部材３０ａは、第１観察窓１２ａの前面側（左被検眼ＥＬ側）に貼り付ける構成でもよいし、第１観察窓１２ａの後面側（反射ミラー２２側）に貼り付ける構成でもよい。
【０１０３】
また、例えば、第１偏光部材３０ａが第１観察窓１２ａとは別に設けられる構成であれば、第１偏光部材３０ａは任意の位置に配置することができる。例えば、第１偏光部材３０ａは、第１光源４０ａの近傍に配置されてもよいし、第１観察窓１２ａの近傍に配置されてもよい。もちろん、第１偏光部材３０ａは、第１光源４０ａの近傍かつ第１観察窓１２ａの近傍に配置されてもよい。
【０１０４】
より詳細には、例えば、第１偏光部材３０ａは、第１光源４０ａの近傍として、第１光源４０ａの前面（第１光源４０ａから反射ミラー２２までの間）に配置されてもよいし、第１角膜位置照準光学系２０ａ内のいずれかの位置に配置されてもよい。例えば、第１角膜位置照準光学系２０ａ内のいずれかの位置とは、反射ミラー２２と照準目盛板２３の間であってもよいし、照準目盛板２３とレチクル板２４の間であってもよい。また、例えば、第１偏光部材３０ａは、第１観察窓１２ａの近傍として、第１観察窓１２ａの前面（左被検眼ＥＬ側）に配置されてもよいし、第１観察窓１２ａの後面（第１観察窓から反射ミラー２２までの間）に配置されてもよい。
【０１０５】
また、本実施例では、第２偏光部材３０ｂと第２観察窓１２ｂとが兼用される構成を例に挙げて説明したがこれに限定されない。例えば、第２偏光部材３０ｂと第１観察窓１２ｂと、は隣接して配置される構成であってもよい。この場合には、第１偏光部材３０ａと第１観察窓１２ａが隣接して配置される場合と同様に、第２偏光部材３０ｂとして偏光軸をもつ偏光シート等を用い、第２観察窓１２ｂに貼り付けてもよい。例えば、このような構成とする場合、第２偏光部材３０ｂは、第２観察窓１２ｂの前面側と後面側のどちらに貼り付けてもよい。
【０１０６】
また、例えば、第２偏光部材３０ｂは第２観察窓１２ｂとは別に設けられる構成であってもよい。この場合には、第１偏光部材３０ａが第１観察窓１２ａとは別に設けられる場合と同様に、第２偏光部材３０ｂが第２光源４０ｂの近傍に配置されてもよいし、第２観察窓１２ｂの近傍に配置されてもよい。もちろん、第２偏光部材３０ｂは、第２光源４０ｂの近傍かつ第２観察窓１２ｂの近傍に配置されてもよい。例えば、このような構成とする場合、第２偏光部材３０ｂは、第２光源４０ｂの前面に配置されてもよいし、第２角膜位置照準光学系２０ｂ内のいずれかの位置に配置されてもよい。また、例えば、第２偏光部材３０ｂは、第２観察窓１２ｂの前面に配置されてもよいし、第２観察窓１２ｂの後面に配置されてもよい。
【０１０７】
なお、本実施例では、左眼用レンズ室ユニット５５Ｌにおける第１偏光部材３０ａと、右眼用レンズ室ユニット５５Ｒにおける第２偏光部材３０ｂと、を同位置に配置しているがこれに限定されない。例えば、第１偏光部材３０ａと第２偏光部材３０ｂとは、左右のレンズ室ユニット５５において異なる位置に設けてもよい。例えば、この場合には、左眼用レンズ室ユニット５５Ｌにおいて、第１偏光部材３０ａが第１観察窓１２ａの前面側に配置され、右眼用レンズ室ユニット５５Ｒにおいて、第２偏光部材３０ｂが第２観察窓１２ｂの後面側に配置される等の構成が挙げられる。
【０１０８】
なお、本実施例では、第１偏光部材３０ａとして１つの偏光部材を用いる構成を例に挙げて説明したがこれに限定されない。例えば、第１偏光部材３０ａは、少なくとも１つの偏光部材が用いられる構成であればよい。例えば、この場合には、第１光源４０ａの前面と、第１角膜位置照準光学系２０ａ内と、の複数箇所に偏光部材が配置されてもよい。もちろん、第１光源４０ａの後面と、第１角膜位置照準光学系２０ａ内と、の複数箇所に偏光部材が配置されてもよい。また、本実施例では、第２偏光部材３０ｂとして１つの偏光部材を用いる構成を例に挙げて説明したがこれに限定されない。例えば、第２偏光部材３０ｂは、少なくとも１つの偏光部材が用いられる構成であればよい。例えば、この場合には、第２光源４０ｂの前面と、第２角膜位置照準光学系２０ｂ内と、の複数箇所に偏光部材が配置されてもよい。もちろん、第２光源４０ｂの後面と、第２角膜位置照準光学系２０ｂ内と、の複数箇所に偏光部材が配置されてもよい。
【０１０９】
なお、本実施例では、抑制ユニット３０として偏光部材を用いる構成を例に挙げて説明したがこれに限定されない。例えば、抑制ユニット３０としては、特定の波長をもつ光束を透過するフィルタを用いることもできる。この場合には、例えば、第１光源４０ａから照射される光束が通過する光路上に、特定の波長の光束を透過することが可能な第１フィルタを設けてもよい。また、例えば、第２光源４０ｂから照射される光束が通過する光路上に、上述した特定の波長とは異なる波長の光束を透過することが可能な第２フィルタを設けてもよい。これによって、第１光源４０ａから照射される光束のうち、特定の波長をもつ光束が第１フィルタを透過して、左被検眼ＥＬへと到達する。また、第１光源４０ａから照射される光束のうち、特定の波長をもつ光束が第１フィルタを透過して第２フィルタへ到達しても、この光束は第２フィルタを透過しない。同様に、第２光源４０ｂから照射される光束のうち、特定の波長とは異なる波長をもつ光束が、第２フィルタを透過して右被検眼ＥＲへと到達する。また、第２光源４０ｂから照射される光束のうち、特定の波長とは異なる波長をもつ光束が第２フィルタを透過して第１フィルタへ到達しても、この光束は第１フィルタを透過しない。例えば、このようなフィルタを備える自覚式検眼装置１であっても、検者が観察している被検眼とは反対側の被検眼を照射する光源から、検者眼ＯＥに向かって光束が入射することを抑制することができる。
【０１１０】
なお、上記のようなフィルタとしては、可視光線を透過するフィルタや、赤外線を透過するフィルタ等を用いることができる。例えば、第１フィルタと第２フィルタは、どちらも特定の可視光線における波長の光束を透過させる構成であってもよいし、どちらも特定の赤外光線における波長の光束を透過させる構成であってもよい。また、上記のようなフィルタを用いる場合には、様々な波長の光束を照射する光源を使用してもよいし、特定の波長の光束のみを照射することができる光源を使用してもよい。
【０１１１】
なお、本実施例においては、抑制ユニット３０として偏光部材を用いる構成を例に挙げて説明したがこれに限定されない。例えば、抑制ユニット３０は、被検者の顔が額当てに当接しているか否かを検出する検出ユニットであってもよい。以下、本実施例における自覚式検眼装置１が検出ユニット８０を備える場合について説明する。
【０１１２】
図１１は、検出ユニットの構成を説明する概略図である。例えば、検出ユニット８０は移動ユニット５４に内蔵されていてもよい。例えば、検出ユニット８０は、送りねじ８１、ばね８２、回転止め用のピン８３、溝８４、遮光板８５、フランジ８６、検出器８７、取付部材８８、等を備える。例えば、送りねじ８１は移動ユニット５４内を挿通する。例えば、送りねじ８１の一端は連結部５２と螺合し、他端は額当て調整ノブ５に固設される。例えば、送りねじ８１及び連結部５２の螺合部分は、移動ユニット５４に嵌合する。ばね８２は移動ユニット５４の内部に設けられ、送りねじ８１を介して連結部５２を被検者側へ付勢する。連結部５２には溝８４があり、溝８４は回転止め用のピン８３とともに連結部５２の回転を防止する。このため、検者が額当ての位置を調節するために額当て調整ノブ５を回転させると、連結部５２が送りねじ８１の回転軸方向に移動し、被検眼の角膜頂点位置と検査窓５３の距離を調節することができる。例えば、取付部材８８は額当て調整ノブ５と嵌合部を有し、移動ユニット５４に固設されている。例えば、遮光板８５は送りねじ８１にフランジ８６を介して取り付けられている。例えば、検出器８７は、フォトインタラプタ等の光センサを用いて構成される。すなわち、本実施例における検出器８７は、遮光板８５の挿脱を検知する役割を有する。
【０１１３】
例えば、このような構成を備える検出ユニット８０においては、被検者の額が額当て５１に当接した際に、連結部５２が検者側へ移動（軸方向に移動）するため、連結部５２と螺合する送りねじ８１が、ばね８２の付勢力に逆らって検者側に移動する。これに伴って、遮光板８５が検者側に移動する（図中の点線部分）ので、検出器８７は遮光板８５を検知する。つまり、本実施例おいては、検出器８７と遮光板８５とがフォトインタラプタとしての機能を成している。また、被検者の額が額当て５１から離れているときには、遮光板８５が図中の実線部分に位置するため、検出器８７は遮光板８５を検知しない。このような構成によって、被検者の額が額当て５１に当接したか否かを検知することができる。
【０１１４】
例えば、上記の構成を備える自覚式検眼装置である場合には、制御部７０が抑制ユニット３０としての役割を兼ねる。例えば、制御部７０は、検出ユニット８０の検出結果に基づいて、第１光源４０ａ及び第２光源４０ｂを制御する。すなわち、検出器８７が遮光板８５の挿入を検知していないと、制御部７０は、被検者の顔が額当て５１に当接していないと判断し、第１光源４０ａ及び第２光源４０ｂを消灯させる。また、検出器８７が遮光板８５の挿入を検知すると、制御部７０は、被検者の顔が額当て５１に当接していると判断し、第１光源４０ａ及び第２光源４０ｂを点灯させる。これによって、被検者の顔が額当て５１から離れても、検者が観察している被検眼とは反対側の被検眼を照射する光源から、検者眼ＯＥに向かって光束が入射することを抑制することができる。なお、被検者の顔と額当て５１とが当接している間は、本実施例のように第１光源４０ａと第２光源４０ｂを消灯させる構成であってもよいし、減光するなどしてわずかに点灯させる構成であってもよい。
【０１１５】
このように、例えば、自覚式検眼装置は、被検者の顔の位置を固定する額当てと、被検者の顔が前記額当てに当接しているか否かを検出する検出ユニットとを備える。また、検出ユニットの検出結果に基づいて、抑制ユニットは第１光源及び第２光源の点灯を制御する。これによって、被検者の顔が額当てに当接していない間は、第１光源及び前記第２光源が消灯され、被検者の顔が額当てに当接している間は、第１光源及び前記第２光源が点灯される。検者は、被検者の顔と額当てとの距離が変化しても、第１光源あるいは第２光源の点灯及び消灯を容易に行うことができ、観察している被検眼とは反対側の被検眼を照射する光源の眩しさを気にかけることなく、被検眼の角膜頂点位置を確認することができる。
【０１１６】
なお、本実施例においては、抑制ユニット３０として偏光部材を用いる構成を例に挙げて説明したがこれに限定されない。例えば、抑制ユニット３０は、第１光源４０ａ及び第２光源４０ｂの点灯及び消灯を選択するための操作ユニットであってもよい。以下、本実施例における自覚式検眼装置１が操作ユニット９０を備える場合について説明する。
【０１１７】
図１２は、操作ユニット９０を説明するための図である。例えば、操作ユニット９０は、第１光源４０ａの点灯及び消灯を制御するための操作スイッチ９１ａを備える。また、例えば、操作ユニット９０は、第２光源４０ｂの点灯及び消灯を制御するための操作スイッチ９１ｂを備える。例えば、このような操作ユニット９０は、本実施例のように眼屈折力測定ユニット５０に設けられてもよいし、コントローラ７１に設けられてもよい。
【０１１８】
例えば、操作ユニット９０を備える自覚式検眼装置である場合には、制御部７０が抑制ユニット３０としての役割を兼ねる。例えば、制御部７０は、操作ユニット９０からの操作信号に基づいて、第１光源４０ａまたは第２光源４０ｂを制御する。すなわち、制御部７０は、検者によって操作スイッチ９１ａが操作され、電源が入れられたことを受信すると、第１光源４０ａを点灯させる。また、制御部７０は、検者によって操作スイッチ９１ａが操作され、電源が切られたことを受信すると、第１光源４０ａを消灯させる。同様に、制御部７０は、検者によって操作スイッチ９１ｂが操作され、電源が入れられたことを受信すると、第２光源４０ｂを点灯させる。また、制御部７０は、検者によって操作スイッチ９１ｂが操作され、電源が切られたことを受信したときに、第２光源４０ｂを消灯させる。
【０１１９】
例えば、上記のような構成を備えることによって、第１光源４０ａの点灯または消灯と、第２光源４０ｂの点灯または消灯と、をそれぞれ個別に制御することが可能である。このため、例えば、検者は第１確認窓１１ａから左被検眼ＥＬを観察する場合には、操作スイッチ９１ａを操作して第１光源４０ａを点灯させるとともに、操作スイッチ９１ｂを操作して第２光源４０ｂを消灯させることができる。また、この後に第２確認窓１１ｂから右被検眼ＥＲを観察する場合には、操作スイッチ９１ａを操作して第１光源４０ａを点灯させ、次いで操作スイッチ９１ｂを操作して第２光源４０ｂを消灯させることができる。
【０１２０】
このように、例えば、自覚式検眼装置は、第１光源及び第２光源の点灯及び消灯を選択するための操作ユニットを備える。また、操作ユニットからの操作信号に基づいて、第１光源の点灯または消灯と、第２光源の点灯または消灯と、がそれぞれ個別に制御される。このため、検者は、観察しない側の被検眼を照明する光源を消灯させて、観察する側の被検眼のみを点灯させることができるようになる。従って、検者は、観察している被検眼とは反対側の被検眼を照射する光源の眩しさを気にかけることなく、被検眼の角膜頂点位置を確認することができる。
【０１２１】
なお、本実施例においては、第１角膜位置照準ユニット１０ａが、第１確認窓１１ａと、第１観察窓１２ａと、第１角膜位置照準光学系２０ａと、からなる構成を例に挙げて説明したがこれに限定されない。例えば、第１角膜位置照準ユニット１０ａは、上述の構成に加えて、第１確認窓１１ａを確認するための導光部を備えていてもよい。また、本実施例においては、第２角膜位置照準ユニット１０ｂが、第２確認窓１１ｂと、第２観察窓１２ｂと、第２角膜位置照準光学系２０ｂと、からなる構成を例に挙げて説明したがこれに限定されない。例えば、第２角膜位置照準ユニット１０ｂは、上述の構成に加えて、第２確認窓１１ｂを確認するための導光部を備えていてもよい。
【０１２２】
図１３は、導光部９５を備える角膜位置照準ユニット１０を説明するための図である。なお、以下では、左眼用レンズ室ユニット５５Ｌが備える導光部９５を例に挙げて説明する。右眼用レンズ室ユニット５５Ｒが備える導光部については、左眼用レンズ室ユニット５５Ｌが備える導光部９５と同様の構成であるため、その説明を省略する。
【０１２３】
例えば、導光部９５は眼屈折力測定ユニット５０に設けられる。例えば、導光部９５はミラーによって構成されている。例えば、導光部９５は、第１確認窓１１ａを通過した第１光源４０ａからの光束を、眼屈折力測定ユニット５０の外部へと導光する。例えば、第１光源４０ａから照射された光束は、上述のように光軸Ｏ１ａ、光軸Ｏ２ａ、光軸Ｏ３ａ、光軸Ｏ４ａを順に通過し、導光部９５へと導光される。ここで、この光束は導光部９５によって反射され、導光部９５から検者眼ＯＥへと向かう光軸Ｏ５ａ方向へと導光される。これによって、検者眼ＯＥには、左被検眼ＥＬに反射された第１光源４０ａからの光束が投影される。例えば、このような構成を備える場合、検者は導光部９５を観察することによって左被検眼ＥＬの側方を確認することができ、左被検眼ＥＬにおけるレンズ装用時の基準位置や角膜頂点間距離ＶＤを確認することができる。
【符号の説明】
【０１２４】
１  自覚式検眼装置
１１  確認窓
１２  観察窓
３０  抑制ユニット
４０  光源
５０  眼屈折力測定ユニット
５１  額当て
５３  検査窓
５５  レンズ室ユニット
７０  制御部
８０  検出ユニット
９０  操作ユニット
【図１】
2018121914.tif 000003
【図２】
2018121914.tif 000004
【図３】
2018121914.tif 000005
【図４】
2018121914.tif 000006
【図５】
2018121914.tif 000007
【図６】
2018121914.tif 000008
【図７】
2018121914.tif 000009
【図８】
2018121914.tif 000010
【図９】
2018121914.tif 000011
【図１０】
2018121914.tif 000012
【図１１】
2018121914.tif 000013
【図１２】
2018121914.tif 000014
【図１３】
2018121914.tif 000015